(57)【要約】  暖房装置は、可撓性バンド（２）を備え、可撓性バンドには、電流が通りかつ熱を外部に放出するのに適する積層導体手段（３）および前記積層導体手段（３）に結び付けられる積層絶縁手段（４）を含み、前記導体手段（３）は、前記可撓性バンド（２）の幅よりも小さい幅の、互いに電気接続される複数の導電ストリップ（３ａ−３ｈ；３ａ−３ｎ）を含む。
2013535643.tif 000002
【特許請求の範囲】
【請求項１】
暖房装置であって、可撓性バンド（２）を備え、可撓性バンドには、電流が通り、外部に熱を放出するのに適する積層導体手段（３）と、前記積層導体手段（３）と結び付けられる積層絶縁手段（４）とが設けられ、前記導体手段（３）は、前記可撓性バンド（２）の幅よりも小さい幅の、互いに電気接続される複数の導電ストリップ（３ａ−３ｈ；３ａ−３ｎ）を含む、暖房装置。
【請求項２】
前記導電ストリップ（３ａ−３ｈ；３ａ−３ｎ）は、前記可撓性バンド（２）の端部（５，６）において、互いに直列に電気接続される、請求項１に記載の暖房装置。
【請求項３】
前記導電ストリップ（３ａ−３ｈ；３ａ−３ｎ）は、前記可撓性バンド（２）の端部（５，６）において、並列に電気接続される、請求項１に記載の装置。
【請求項４】
前記導電ストリップ（３ａ−３ｈ；３ａ−３ｎ）は、前記可撓性バンド（２）の端部（５，６）において、所定の数のグループとして、並列に電気接続される、請求項１から３に記載の装置。
【請求項５】
前記導電ストリップ（３ａ−３ｈ；３ａ−３ｎ）は、直列-並列の組合せに従い、前記可撓性バンド（２）の端部（５，６）において、電気接続される、請求項１から４のいずれか１項に記載の装置。
【請求項６】
前記導電ストリップ（３ａ−３ｈ；３ａ−３ｎ）は、重なる２枚１組にある、請求項１から５のいずれか１項に記載の暖房装置。
【請求項７】
前記導電ストリップ（３ａ−３ｈ；３ａ−３ｎ）を電気的に接続するために、前記可撓性バンド（２）の第１の端部（５）において固定される第１の端子素子（１２）を含む、請求項１から６のいずれか１項に記載の暖房装置。
【請求項８】
前記導電ストリップ（３ａ−３ｈ；３ａ−３ｎ）を電気的に接続するために、前記可撓性バンド（２）の第２の端部（６）において固定される第２の端子素子（１３）を含む、請求項４に記載の暖房装置。
【請求項９】
前記第１の端子素子（１２）は、前記導電ストリップ（３ａ−３ｈ；３ａ−３ｎ）を電気的に接続するために、複数の第１の導電体（１４ａ−１４ｅ；１４ｆ−１４ｈ；１４ｉ−１４ｎ；１４ｏ−１４ｑ）を含み、２つの重なるストリップには互いに反対方向に流れる電流が通る、請求項１から８のいずれか１項に記載の暖房装置。
【請求項１０】
前記第２の端子素子（１３）は、前記導電ストリップ（３ａ−３ｈ；３ａ−３ｎ）を電気的に接続するために、複数の第２の導電体（２５ａ−２５ｄ；２５ｅ，２５ｆ；２５ｇ−２５ｉ；２５ｌ，２５ｍ）を含み、２つの重なるストリップには互いに反対方向に流れる電流が通る、請求項１から９のいずれか１項に記載の暖房装置。
【請求項１１】
前記第１の端子素子（１２）は、前記第１の端部（５）において、前記可撓性バンド（２）の対向する第１の面（１０）および第２の面（１１）を取囲むよう、互いに固定されている第１の半殻および第２の半殻（１５，１６）を含む、請求項１から１０のいずれか１項に記載の暖房装置。
【請求項１２】
前記第１の導電体（１４ａ−１４ｅ；１４ｆ−１４ｈ；１４ｉ−１４ｎ；１４ｏ−１４ｑ）は、前記第１の半殻（１５）および／または前記第２の半殻（１６）に設けられる第１の座部（１８）にそれぞれ収納される、請求項１から１１に記載の暖房装置。
【請求項１３】
前記第２の端子素子（１３）は、前記第２の端部（６）において、前記可撓性バンド（２）の対向する第１の面（１０）および第２の面（１１）を取囲むよう、互いに固定される２つのハーフエレメント（２６，２７）を含む、請求項１から１２のいずれか１項に記載の暖房装置。
【請求項１４】
前記第２の導電体（２５ａ−２５ｄ；２５ｅ，２５ｆ；２５ｇ−２５ｉ；２５ｌ，２５ｍ）は、前記ハーフエレメント（２６，２７）に設けられる第２の座部（２０）にそれぞれ収納される、請求項１から１３のいずれか１項に記載の暖房装置。
【請求項１５】
前記第１の端子素子（１２）に収納される前記第１の導電体（１４ａ−１４ｅ；１４ｆ−１４ｈ；１４ｉ−１４ｎ；１４ｏ−１４ｑ）の少なくとも２つ、または前記第２の端子素子（１３）に収納される前記第２の導電体（２５ａ−２５ｄ；２５ｅ，２５ｆ；２５ｇ−２５ｉ；２５ｌ，２５ｍ）の少なくとも２つは、電源供給手段（２１、２２）に接続される、請求項１から１４のいずれか１項に記載の暖房装置。
【請求項１６】
前記可撓性バンド（２）は、前記第１の外面（１０）および第２の外面（１１）の少なくとも一方上に、少なくとも１つの金属膜（３０；３１）を含む、請求項１から１５のいずれか１項に記載の装置。
【請求項１７】
前記可撓性バンド（２）は、２つの金属膜（３０，３１）を含み、それぞれ前記第１の外面（１０）および前記第２の外面（１１）の上にある、請求項１から１６に記載の装置。
【発明の詳細な説明】
【技術分野】
【０００１】
発明の技術分野
本発明は暖房装置に関する。より特定的には、本発明は壁または床の表面の下に設置される、可撓性バンドからなる暖房装置に関する。
【背景技術】
【０００２】
従来技術
可撓性バンドからなる暖房装置として、適切な電流が通ったときに得られる熱を用いて外に熱を放出する積層導体手段を含むものが知られており、この熱はジュール効果として知られている。一般に厚くないアルミニウムのシートまたはバンドの形にある上記の導体手段は、積層絶縁手段と結び付けられ、外部の環境から保護する働きとともに、必要な機械的強度を可撓性バンドに与えて、正しく設置されかつ長い間持続するようになる。
【０００３】
このような暖房装置は通常壁または床の表面の下に設置され、電源に接続されている。
既知の装置は一般に低い電圧、すなわち４８Ｖより低い電圧で動作し、導体手段はこのような電圧で動作するよう大きさが定められている。導体手段の幅は一般に可撓性バンドの幅とほぼ等しく、低電圧に接続された場合に、特定の寸法の部屋を暖めるよう適切に定められて計算された電流が通る特定の電気抵抗を有する。
【０００４】
この選択は主に操作中での安全性のためである。なぜなら、低圧電源では装置自体および人に対する事故や損傷の危険性が少なくなるからである。
【０００５】
しかし、部屋には国際的に２３０Ｖである従来の電源電圧があるので、装置を電気的トランスフォーマと結び付けることが必要であり、これにより装置の導体手段に対して、信頼できる安全な態様で、低い電圧を与える働きをする。
【発明の概要】
【発明が解決しようとする課題】
【０００６】
しかし、トランスフォーマは適切に設置しなければならないこと、さらに損傷するおそれがあることなどの理由により、そのコストが装置の全体の生産コストに対して、さらにその設置およびメンテナンス費用にも大きな影響を与えるコンポーネントである。
【０００７】
したがって、装置のコストを実質的に減少するためには、トランスフォーマを完全になくしながらも、動作の有効性および効率の面、ならびに安全性の面において、装置自体の特性および性能を変えないままにする必要がある。
【課題を解決するための手段】
【０００８】
発明の目的
本発明の技術的課題は、トランスフォーマなしで、すなわち電源に対して簡単かつ直接的な接続で、どのような種類の部屋にも設置および稼働することができる暖房装置を考案することである。
【０００９】
このような技術的課題において、本発明の目的は、有効かつ安全な態様で設置することができる装置を作成することである。
【００１０】
この目的は、添付されている請求項１に従う暖房装置によって達成される。
同じ可撓性バンドにおいて、バンドの幅よりも小さい幅の直列接続される複数の導電ストリップがあることにより、利用可能な電源電圧に基づいて適切に計算される抵抗を有し、かつ熱の形で部屋に放出される最適な電力を有する電気回路を、電気的トランスフォーマの必要をなくして、得ることができる。
【００１１】
さらに、可撓性バンドは非常に扱いやすく、頑丈であり、さらに専門家でない人によってどのような部屋にも容易に設置することができる。
【００１２】
さらなる有利な特徴は、従属クレームに記載されている。
本発明の特徴は、当業者にとって非限定例として与えられる、以下の説明および図面の添付されている表からより明らかとなる。
【図面の簡単な説明】
【００１３】
【図１】可撓性バンドの第１の端部における暖房装置の詳細な斜視図である。
【図２】図２は、第１の端子素子が部分的に外されている、可撓性バンドの第１の端部における装置の異なる角度からの別の斜視図である。
【図３】可撓性バンドの第１の端部において、他のコンポーネントが取除かれている装置の別の斜視図である。
【図４】導電ストリップの電気的接続を示す概略斜視図である。
【図５】可撓性バンドの第２の端部における、暖房装置の断面図である。
【図６】第１の端子素子が部分的に外されている、可撓性バンドの第１の端部における、本発明に係る暖房装置の別の実施例の斜視図である。
【図７】可撓性バンドの第１の端部において、他のコンポーネントが取除かれている、図６の装置の別の斜視図である。
【図８】図６および図７の装置の導電ストリップの電気的接続を示す概略斜視図である。
【図９】装置の別の実施例の導電ストリップの電気的接続を示す概略斜視図である。
【図１０】装置のさらに別の実施例の導電ストリップの電気的接続を示す概略斜視図である。
【図１１】装置の別の実施例における、可撓性バンドの一方の端部の詳細かつ断面の側面図である。
【図１２】本発明に係る装置のさらに他の実施例において、可撓性バンドの一方の端部の詳細かつ断面の側面図である。
【発明を実施するための形態】
【００１４】
発明の実施例
添付されている図１を参照して、本発明に係る暖房装置はその全体が１で示されている。
【００１５】
本発明の暖房装置は、制限されることなく、どのような公的または私的な部屋にも設置することができ、壁または床の表面の下に取付けることができる。
【００１６】
装置１は、全体が２で示される可撓性バンドを含み、以下で記載される積層導体手段３が設けられる。積層導体手段３ａ、３ｂ、３ｃ、３ｄ、３ｅ、３ｆ、３ｇおよび３ｈは直接電源に接続されているので、通常の電源電圧が与えられ、装置が設けられているたとえば寝室、ラウンジなどの部屋において、ジュール効果によって熱が放出されるよう、電流が通る。
【００１７】
可撓性バンド２は全体が４で示され、それ自体既知の種類である積層絶縁手段をも含み、以下で記載される態様で積層導体手段３と結び付けられる。
【００１８】
より詳細には、導体手段３は、可撓性バンド２の幅よりも小さい幅の、互いに直列に接続される複数の導電ストリップ３ａ、３ｂ、３ｃ、３ｄ、３ｅ、３ｆ、３ｇおよび３ｈを含み、その技術的利点は以下で明らかとなる。
【００１９】
ここに記載される実施例の導電ストリップ３ａ、３ｂ、３ｃ、３ｄ、３ｅ、３ｆ、３ｇおよび３ｈの数は、一例として８個である。その数は、制限されることなく、特定の要件に対応して任意であり得る。
【００２０】
数ミクロン、たとえば１０−１２ミクロンの厚さのアルミニウムシートからなる導電ストリップ３ａ、３ｂ、３ｃ、３ｄ、３ｅ、３ｆ、３ｇおよび３ｈは、可撓性バンド２の端部５および６において互いに直列接続される。
【００２１】
導電ストリップ３ａ、３ｂ、３ｃ、３ｄ、３ｅ、３ｆ、３ｇおよび３ｈは、可撓性バンド２の中では、２枚が重なる組をなす。
【００２２】
必要な電気的絶縁性および機械的強度の特性を得るために、可撓性バンド２の絶縁積層手段４は、たとえば図５で示されるようにそれ自体既知の態様で、たとえばポリマー材などからなる中央シート７を含み、中央シート７は並列かつ重なる２枚１組としての導電ストリップ３ａ、３ｂ、３ｃ、３ｄ、３ｅ、３ｆ、３ｇおよび３ｈが配置される２つの面上にある。これらのストリップ上に、さらに２つの絶縁シート８および９があり、これらは可撓性バンド２の第１の外面１０および第２の外面１１をなす。
【００２３】
中央シート７ならびに絶縁シート８および９は、装置の最適な電気的絶縁を確実にするとともに、装置を組立てるのに必要な機械的強度を可撓性バンド２に与える。後者の設置を行なうために、可撓性バンド２がたとえば床上に配置され、曲面をなすように折り曲げられ、部屋の表面全部を被覆する。したがって、バンド２は損傷することなく非常に小さい曲率半径の折り曲げに耐えなければならない。
【００２４】
別の実施例における絶縁シート７、８および９の各々は、異なる材料の重畳シートからなり得る。バンドに絶縁特性、機械的強度、外部物質からの保護などを与えるのに適する他の材料からなる別のシートまたは層が、外側および内側にあってもよい。
【００２５】
装置１は、導電ストリップ３ａ、３ｂ、３ｃ、３ｄ、３ｅ、３ｆ、３ｇおよび３ｈの電気的接続のために、可撓性バンド２の第１の端部５に固定され、全体が１２で示される第１の端子素子を含む。第１の端子素子１２は詳細に、図１、図２および図３に示される。
【００２６】
さらに、装置１は、導電ストリップ３ａ、３ｂ、３ｃ、３ｄ、３ｅ、３ｆ、３ｇおよび３ｈの電気的接続のために、可撓性バンド２の第２の端部６に固定され、全体が１３で示される第２の端子素子を含む。第２の端子素子１３は、図５の断面に示される。
【００２７】
より詳細には、第１の端子素子１２は、互いに直列接続される導電ストリップ３ａ、３ｂ、３ｃ、３ｄ、３ｅ、３ｆ、３ｇおよび３ｈの電気的接続のために、複数の第１の導電体１４ａ、１４ｂ、１４ｃ、１４ｄ、および１４ｅを含む。これにより、２つの重なるストリップには、互いに反対方向の電流が通る。このような態様で、導電ストリップ３ａ、３ｂ、３ｃ、３ｄ、３ｅ、３ｆ、３ｇおよび３ｈを通る電流によって発生する電磁場がほぼすべて取消される。したがって、装置が設置される部屋には電磁波の汚染はない。
【００２８】
第１の導電体１４ａ、１４ｂ、１４ｃ、１４ｄ、および１４ｅの数、寸法および配置は以下で説明される。
【００２９】
第１の端子素子１２は、たとえば穴１７に係合しているねじなどの取外し可能装着手段によって互いに固定される第１の半殻１５および第２の半殻１６を含む。こうして、第１の半殻１５および第２の半殻１６は第１の端部５において、可撓性バンド２の対向する第１の面１０および第２の面１１をそれぞれ囲む。
【００３０】
第１の導電体１４ａ、１４ｂ、１４ｃ、１４ｄ、および１４ｅは、図１に示されるように、第１の半殻１５および第２の半殻１６に設けられる、第１の座部１８でそれぞれ収納される。
【００３１】
第１の導電体１４ａ、１４ｂ、１４ｃ、１４ｄ、および１４ｅは特に第１の座部１８で係合するそれぞれ広がっている部分１９を有する金属ブロックからなり、さらに導電ストリップ３ａ、３ｂ、３ｃ、３ｄ、３ｅ、３ｆ、３ｇおよび３ｈと接触するための平坦面２０をそれぞれ有する。
【００３２】
第１の端子素子１２に収納される第１の導電体１４ａ、１４ｂ、１４ｃ、１４ｄ、および１４ｅのうちの２つは、それぞれのチャネル２３および２４を介して第１の端子素子１２自体に挿入される電気ケーブル２１および２２によって、図示されない電源手段に接続される。より詳細には、電気ケーブル２１および２２は暖房装置が設置されている部屋の電源に直接接続される。
【００３３】
第１の端子素子１２の第１の半殻１５および第２の半殻１６は、たとえばプラスチックのような材料、または等価の機械的および電気的絶縁特性を有する別の材料からなる。
【００３４】
第２の端子素子１３は、導電ストリップ３ａ、３ｂ、３ｃ、３ｄ、３ｅ、３ｆ、３ｇおよび３ｈを互いに電気的に接続するための複数の第２の導電体２５ａ、２５ｂ、２５ｃおよび２５ｄを含み、２つの重なるストリップには互いに反対方向に流れる電流が通り、発生した電磁場を取消すという上記の利点を有する。
【００３５】
具体的には、第２の端子素子１３は、第２の端部６において可撓性バンド２の対向する第１の面１０および第２の面１１を取囲むよう、ねじ２８によって互いに固定される２つのハーフエレメント２６および２７を含む。
【００３６】
第２の導電体２５ａ、２５ｂ、２５ｃおよび２５ｄは、図５に示されるように、ハーフエレメント２６および２７に設けられる第２の座部２９でそれぞれ収納される。第２の導電体２５ａ、２５ｂ、２５ｃおよび２５ｄはたとえば金属ブロックからなる。
【００３７】
第２の端子素子１３のハーフエレメント２６および２７は、たとえばプラスチックのような材料、または等価の機械的および電気絶縁特性を有する別の材料からなる。
【００３８】
図４は、第１の導電体１４ａ、１４ｂ、１４ｃ、１４ｄ、および１４ｅならびに第２の導電体２５ａ、２５ｂ、２５ｃおよび２５ｄの配置、さらに導電ストリップ３ａ、３ｂ、３ｃ、３ｄ、３ｅ、３ｆ、３ｇおよび３ｈへの接続を概略的に示し、直接的に重なるストリップには反対方向の電流が通る電気回路が得られる。
【００３９】
このような接続を実施するために、絶縁シート８および９はそれぞれの端子部分において部分的に取除かれ、すべてのストリップ３ａ、３ｂ、３ｃ、３ｄ、３ｅ、３ｆ、３ｇおよび３ｈの端子端部を露出させる。
【００４０】
第１の導電体１４ａ、すなわち図４では左に配置され、導電ストリップと同じ幅、すなわち単一タイプの第１の導電体１４ａは、図２にも示されるように、電気ケーブル２１の１本に直接接続され、図４では矢印によって概略的に示される。電流の従来の流れる方向を選択することにより、電流はストリップ３ａを通り、さらに第２の導電体２５ａを通って、ストリップ３ａの下にあるストリップ３ｂに進む。この場所から、電流はここでは二重型の第１の導電体１４ｂを通ってストリップ３ｃに達し、次に第２の導電体２５ｂを通ってストリップ３ｄに達する。以降、電気的接続は第１の二重導電体１４ｃによって続けられ、これはストリップ３ｄをストリップ３ｅに接続し、電流はさらに第２の導電体２５ｃを通って下に配置されるストリップ３ｆに続く。最後に、直観的に、電流は二重型の第１の導電体１４ｄ、ストリップ３ｇ、第２の導電体２５ｄ、ストリップ３ｈおよび最後に第１の単体導電体１４ｅを通り、ここには他方の電気ケーブル２２が接続され、これも概略的に矢印で示される。こうして、電気回路は閉じる。
【００４１】
可撓性バンド２の幅よりも実質的に小さい幅の導電ストリップ３ａ、３ｂ、３ｃ、３ｄ、３ｅ、３ｆ、３ｇおよび３ｈは、電源電圧に対して、ストリップ自体の断面に明らかに依存する相対的に高くかつ適切な強度を有し、表面の平方メートル当たりの最適な熱出力を定めて、装置が設置される部屋にいる人に快適性を与える。
【００４２】
明確にする目的のための例として、部屋を快適に暖めるのに必要な電気出力が平方メートル当たり約５０Ｗであると見積もられた場合を考えてみる。
【００４３】
周知のように、電力は、電圧を電流で掛け算したものである。電圧は主電源の電圧であるので、電流は最適な出力値を確実にするために減らされなければならない。この結果は、減少した幅および適切な長さの導電ストリップ３ａ、３ｂ、３ｃ、３ｄ、３ｅ、３ｆ、３ｇおよび３ｈを用いて、高い抵抗を達成することによって得られる。
【００４４】
特に、ストリップ３ａ、３ｂ、３ｃ、３ｄ、３ｅ、３ｆ、３ｇおよび３ｈの長さは、暖めるべき部屋の表面に基づき選択および寸法決めされる。
【００４５】
１つの可撓性バンド２に含まれるストリップ３ａ、３ｂ、３ｃ、３ｄ、３ｅ、３ｆ、３ｇおよび３ｈの全体の数は、ストリップが直列に接続されているので、暖めるべき部屋の表面に応じて選択される。なぜなら、装置の全体の抵抗は、直列接続されるストリップの数に正確に依存するからである。
【００４６】
こうして、本発明がどのように提案された目的を達成するかが示された。
本発明の暖房装置は、簡単な電源の供給電力により熱の形で部屋に放出される電力を供給することを可能にし、これは装置が設置されている部屋にいる人に快適性を与えるよう最適なものである。
【００４７】
この結果は、可撓性バンドの幅よりも実質的に小さい幅の導電ストリップを用いることによって得られ、所望の熱出力を放出するのに適する全体抵抗の回路を得るために適切に大きさが決められる。
【００４８】
同時に、扱いやすく、頑丈および絶縁性を有する「標準的」な幅の可撓性支持バンドがあることにより、専門家でない人によっても、どのような部屋にも装置を簡単かつ有効な態様で設置できるようになる。
【００４９】
さらに、ストリップ間の電気接続は、それぞれの座部に安定して収納される金属ブロックを介して実施される。したがって、このような接続は巧みであり、信頼性があって、取付けるのが厄介で時間に伴い摩耗し得るケーブル、クランプおよび他の手段を有さない。
【００５０】
本発明に係る装置の別の実施例が図６、図７および図８に示される。
本実施例の説明において、それぞれの図面と同様に、前の実施例の説明と同じ参照符号が対応する部分を示すために用いられる。
【００５１】
前に記載した実施例について、ここでは導電ストリップ３ａ、３ｂ、３ｃ、３ｄ、３ｅ、３ｆ、３ｇおよび３ｈの接続方法が異なる。
【００５２】
より詳細には、本実施例の導電ストリップ３ａ、３ｂ、３ｃ、３ｄ、３ｅ、３ｆ、３ｇおよび３ｈは、２個を１組として、並列に接続される。
【００５３】
たとえば図８でわかるように、可撓性バンドの同じ面上で直接隣接して配置されるストリップ３ａおよび３ｄは、第１の外面１０上において、可撓性バンド２の第１の端部５において第１の導電体１４ｆを介して並列に接続される。
【００５４】
同じ態様で、前記ストリップ３ａおよび３ｄは第２の導電体２５ｅを介して、第１の外面１０上に、可撓性バンド２の第２の端部６において並列に接続される。この同じ第２の導電体２５ｅは、可撓性バンドの第２の外面１１において、下にある２つのストリップ３ｂおよび３ｃを接続する。
【００５５】
前記ストリップ３ｂおよび３ｃは、今度は第１の端部５において、さらなる第２の導電体１４ｇを介して接続され、第２の導電体１４ｇは後のストリップ３ｆおよび３ｇまで延在し、これらのストリップ３ｆおよび３ｇを並列に接続する。
【００５６】
前記ストリップ３ｆおよび３ｇの並列接続は、さらに別の第２の導電体２５ｆを介して、第２の端部６で終わり、後者は残りのストリップ３ｅおよび３ｈを並列に接続し、これらはさらに第１の導電体１４ｈによって接続される。
【００５７】
第１の導電体１４ｆおよび１４ｈは直接電源に接続される。
ストリップ３ａ、３ｂ、３ｃ、３ｄ、３ｅ、３ｆ、３ｇおよび３ｈの並列接続のおかげで、全体の電気回路で等価の抵抗を得ることが可能となり、これは直列接続にある前の実施例よりも実質的に低い。
【００５８】
より低い等価抵抗により、より大きい電流を回路に通すことが可能となり、それにより表面単位に対してより大きい熱を放出することができる。
【００５９】
可撓性バンド２の長さ、およびそれゆえストリップ３ａ、３ｂ、３ｃ、３ｄ、３ｅ、３ｆ、３ｇおよび３ｈの長を定めることにより、バンドが供給することができる熱出力をある程度の精度でもって定めることが可能となる。バンド２は一般に特定の面積の部屋を暖めるために床の下に配置されていることを考えれば、上記のように、平方メートル当たりの所望の熱出力、たとえば５０Ｗ／ｍ2を得るのに必要な大きさにバンド２を切ることができる。しかし、前の実施例と比べて、並列接続を有する本実施例では、得られる同じ熱出力についてより小さいバンドを用いることが可能となる。
【００６０】
したがって、当該分野において訓練を受けていない人でも、設置はより迅速および簡単であり、かつ費用効率がよくなる。
【００６１】
図６および図７でもわかるように、装置の残りのコンポーネント、すなわち主に第１の端子素子１２および第２の端子素子１３は、前の実施例で記載されているものと実質的に同じである。しかし、前の実施例に対して異なる寸法の第１の導電体１４ｆ、１４ｇ、および１４ｈならびに第２の導電体２５ｅおよび２５ｆがあるので、これに対応して第１の端子素子１２および第２の端子素子１３に設けられる第１の座部１８および第２の座部２９は、それらを受入れることができるよう、大きさが定められていなければならない。
【００６２】
さらに、市場に出す装置をその寸法に対応して標準化する、すなわち最も一般的な家やビルのすべての部屋の暖房要件を満たすよう、標準化することもできる。
【００６３】
たとえば、ビルに一般にあるすべての部屋について、平方メートル当たりの必要な熱出力を提供することができる、３つの異なる長さの可撓性バンド２が用意されてもよい。
【００６４】
このような３つの標準的な長さは、非常に実質的および多様な態様で、すべての要件を満たすよう、モジュール式に組合せることができる。
【００６５】
このようなバンド２には、記載されているように、端部５および６に配置される端子接続エレメント１２および１３が設けられてもよく、またはバンド２自体の特定の点で付与することができる中間接続エレメントを設けて、電気接続の他の個別的方法を得て、さらに別の結果を得ることができる。
【００６６】
本発明に係る装置の別の実施例が図９に示される。
図９において、可撓性バンド２は、容易に理解できるよう、絶縁シート８および９を除いて示される。
【００６７】
本実施例において、バンド２は各面１０および１１に対して６枚のストリップ、すなわち合計１２のストリップを含み、さらに図９に示される４つのストリップ３ｉ、３ｌ、３ｍおよび３ｎが加えられる。
【００６８】
ストリップ３ａ−３ｎの接続方式、すなわち２個を１組とする並列接続は、図６、図７および図８の前の実施例で記載されているものと全く同じであり、そのため詳細には繰返されない。
【００６９】
このような接続をなすために、さらなる第１の導電体１４ｉ、１４ｌ、１４ｍおよび１４ｎ、ならびにさらなる第２の導電体２５ｇ、２５ｈおよび２５ｉが、図９において直観的に示されるように用いられ、大きさが定められ、かつ配置される。
【００７０】
より多くのストリップ３ａ−３ｎがあることにより、より多様な使用が可能となる。なぜなら、さまざまな電気的接続が個々のストリップ３ａ−３ｎ間で行なうことができ、異なる用途の要件に関連して異なる等価抵抗を得ることができるからである。
【００７１】
この確認として、本発明に係る装置のさらなる実施例が、図１０に示される。
本実施例において、バンド２は図９の前の実施例のものと同じである、つまり各面１０および１１について６個のストリップ、すなわち合計１２個のストリップ３ａ−３ｎが備わっている。
【００７２】
前の実施例と比べて、図１０のものは、ストリップ３ａ−３ｎの電気的接続だけが異なり、前の実施例に対して異なる等価抵抗を得る。
【００７３】
より詳細には、ストリップ３ａ−３ｎは、図１０ではっきりとわかるように、３個を１組として、ここでは並列に接続される。
【００７４】
このために、第１の導電体１４ｏ、１４ｐおよび１４ｑならびに第２の導電体２５ｌおよび２５ｍは、図１０に示されるように、所望の接続方式を実施できるよう、位置付けられ、寸法決めされる。
【００７５】
本実施例のバンド２の等価抵抗は、前の実施例のものと異なる。
より一般的には、ストリップ３ａ−３ｎは、バンド２の端部５および６において、所定の数のグループとして、並列に接続できる。
【００７６】
別の実施例において、図に示されていないが、１２枚のストリップ３ａ−３ｎすべてを互いに直列に接続でき、これは図４で概略的に示されているような方法と全く等価な方式となる。
【００７７】
したがって、バンド２にあるストリップの数が増えれば増えるほど、異なる等価抵抗を得て、同じ長さについて、バンド２が放出することができる異なる熱出力の可能性が増加する。
【００７８】
このような態様で、装置の多様性がさらに高められる。標準化技術で作られた１つのバンド２は、ストリップ３ａ−３ｎ間の接続方法を変えることができることにより、互いに非常に異なる平方メートル当たりの熱出力を得ることができる。
【００７９】
こうして、ストリップ３ａ−３ｎ間の接続の種類およびバンド２の長さを適切に選択することにより、どのような起こりうる要件をも満たすことができるよう、非常に多くの可能性を有する多様な熱出力を備えて装置が作成される。
【００８０】
特定の要件に従い、ストリップ３ａ−３ｎ間に、異なる直列-並列の組合せからなる、他の形の接続もあり得る。
【００８１】
装置の別の実施例が、図１１において、その詳細な断面で示される。
特に、図１１は理解を容易にするために部分的に取除かれた多様な層と無関係に、一方の端部５および６でのバンド２を示す。
【００８２】
前の実施例に記載されるバンド２と比べて、ここでは２枚の金属膜３０および３１があり、それぞれの外面１０および１１においてバンド２を少なくとも部分的にまたは完全に被覆する。
【００８３】
２枚の金属膜３０および３１は、たとえばアルミニウムから、または適切な特性を有する他の金属材からなり得る。
【００８４】
これにより、第１に、火が直接表面に接していても、バンドは耐火性を有する。
第２に、導体材料と絶縁材との不連続により、ストリップ３ａ−３ｎによって放出される熱はバンド２に対して横切る方向において完全に均一ではないので、金属膜３０および３１のおかげで、装置による放熱をより一定および均一にすることができる。
【００８５】
本発明に係る装置のさらに別の実施例が、図１２において詳細な断面として示される。
本実施例は図１１の前の実施例と同様であるが、金属膜３０および３１はそれぞれ電気接続３２および３３によって接地されている点で異なる。
【００８６】
接地のおかげで、膜３０および３１に対して金属、液体、または他の物体が偶発的に接触すれば、現在の法的規制に準拠する電気的システムに設けられる保護が瞬時に起動することになる。
【００８７】
たとえば、装置の設置工程または後の保守もしくは再構築の際に、たとえば工具などのような金属体が金属膜３０および３１と接触しても、作業員に危険はない。なぜなら、電源への接続が即座に遮断されるからである。
【００８８】
さらに、この利点により、プールなどのような大量の水がある場所でも装置を設置することが可能となる。装置に液体がこぼされたり漏れたりすれば、電源への接続が瞬時に遮断される。これにより、装置は如何なる種類の用途にもより多様性を有しかつ適するものとなる。
【００８９】
本発明は好ましい実施例に従い記載されているが、添付の特許請求の範囲から逸脱することなく均等な変形が可能である。
【図１】
2013535643.tif 000003
【図２】
2013535643.tif 000004
【図３】
2013535643.tif 000005
【図４】
2013535643.tif 000006
【図５】
2013535643.tif 000007
【図６】
2013535643.tif 000008
【図７】
2013535643.tif 000009
【図８】
2013535643.tif 000010
【図９】
2013535643.tif 000011
【図１０】
2013535643.tif 000012
【図１１】
2013535643.tif 000013
【図１２】
2013535643.tif 000014
【国際調査報告】
2013535643.tif 000015
2013535643.tif 000016